(57)【要約】      （修正有）【課題】電源コードやネットワークケーブル等の接続端子を抜き差しするのに十分なスペースを確保でき接続作業性に優れ、卓上使用及び壁掛け使用の用途に応じてケーブルの引出し方向を容易に変更でき汎用性に優れると共に、ケーブルの接続端子がケーシングから突出しないので見栄えがよく、設置安定性に優れた有線接続端末機器を提供する。【解決手段】有線接続端末機器１のケーシングの少なくとも底面１ａ側及び背面１ｂ側に開口したケーブル接続用凹部２と、ケーブル接続用凹部２の内部に形成された受側接続端子３ａ、３ｂと、ケーブル接続用凹部２に嵌脱自在に嵌合固定される接続部カバー部材４と、接続部カバー部材４の底面部４ａに形成された底面側ケーブル引出し用開口部５ａと、接続部カバー部材４の背面部４ｂに形成された背面側ケーブル引出し用開口部５ｂと、を備えている。【選択図】図１
2005251834.tif 000002
【特許請求の範囲】
【請求項１】
小型の有線接続端末機器であって、前記有線接続端末機器のケーシングの少なくとも底面側及び背面側に開口したケーブル接続用凹部と、前記ケーブル接続用凹部の内部に形成された受側接続端子と、前記ケーブル接続用凹部に嵌脱自在に嵌合固定される接続部カバー部材と、前記接続部カバー部材の底面部に形成された底面側ケーブル引出し用開口部と、前記接続部カバー部材の背面部に形成された背面側ケーブル引出し用開口部と、を備えていることを特徴とする有線接続端末機器。
【請求項２】
前記ケーブル接続用凹部がケーシングの側面側に開口し、前記受側接続端子が前記ケーブル接続用凹部の前記側面側の開口に対向する内側面に形成されていることを特徴とする請求項１に記載の有線接続端末機器。
【請求項３】
前記接続部カバー部材の底面部及び／又は背面部と前記ケーブル接続用凹部との間に形成された凹状開口部を備えていることを特徴とする請求項１又は２に記載の有線接続端末機器。
【請求項４】
前記接続部カバー部材の底面部が、前記ケーシングの底面と面一に形成されていることを特徴とする請求項１乃至３の内いずれか１項に記載の有線接続端末機器。
【発明の詳細な説明】
【技術分野】
【０００１】
本発明は、接続端子を抜き差しするのに十分なスペースを確保して、卓上使用及び壁掛け使用に応じてケーブルの引出し方向を変更でき、見栄えのよい有線接続端末機器に関するものである。
【背景技術】
【０００２】
通常、電話機やネットワークカメラ、ターミナルアダプタ、モデム等の有線接続端末機器には、電源コードやネットワークケーブル等の配線を接続するための受側接続端子が配設されている。この受側接続端子は、有線接続端末機器のケーシングの背面や底面等に設けられる。
【０００３】
ケーシングの背面や底面に受側接続端子を配設した場合、そのままでは有線接続端末機器を卓上に載置したり、壁に掛けたりして使用することができず、ケーシングの背面や底面に凹部を形成し、その凹部の内部に受側接続端子を配設して差し込み側接続端子がケーシングの外部に突出しないようにする必要があった。
【０００４】
例えば（特許文献１）には、「コードレス電話機用充電器を壁に取付けるための底面部と背面部とからなる側面視略Ｌ字状に形成された壁掛け用ブラケットを着脱自在に収納する収納室を背面部に凹設し、コードレス電話機用充電器の下面部に収納室に連設され壁掛け用ブラケットの底面部が嵌合する凹嵌部を設けるとともに、凹嵌部に商用電源を供給する電源コードが導出される導出溝が凹設されたコードレス電話機用充電器」が開示されている。
【特許文献１】実開平６−５８６３１号公報
【発明の開示】
【発明が解決しようとする課題】
【０００５】
しかしながら上記従来の技術では、以下のような課題を有していた。
（１）（特許文献１）では、コードレス電話機用充電器の下面部に凹嵌部を設け、凹嵌部に商用電源を供給する電源コードが導出される導出溝を凹設しているが、導出溝に電源コードを嵌める作業が煩雑であるという課題を有していた。また、導出溝自体は小さいが、電源コードを抜き差しするスペースを確保する必要があるので、凹嵌部にある程度の大きさが必要となり、機器を小型化することが困難であるという課題を有していた。
（２）従来の有線接続端末機器のケーシングの側面に受側接続端子を配設した場合、差し込み側接続端子がケーシングの側面から突出し、見栄えが悪くなるばかりでなく、差し込み側接続端子がケーシングの外部に露出して張出した状態で突出しているので、ケーブルの自重や外力などによりケーブルが抜け易いという課題を有していた。
（３）小型の有線接続端末機器では、電源コードやネットワークケーブル等のケーブル接続用の凹部を形成するスペースは底面にしかないが、底面積が小さいため、凹部を形成することにより、設置時の安定性に欠けるという課題を有していた。
【０００６】
本発明は上記従来の課題を解決するもので、電源コードやネットワークケーブル等の接続端子を抜き差しするのに十分なスペースを確保でき接続作業性に優れ、卓上使用及び壁掛け使用の用途に応じてケーブルの引出し方向を容易に変更でき汎用性に優れると共に、ケーブルの接続端子がケーシングから突出しないので見栄えがよく、設置安定性に優れた有線接続端末機器を提供することを目的とする。
【課題を解決するための手段】
【０００７】
上記課題を解決するために、本発明の有線接続端末機器は、小型の有線接続端末機器であって、前記有線接続端末機器のケーシングの少なくとも底面側及び背面側に開口したケーブル接続用凹部と、前記ケーブル接続用凹部の内部に形成された受側接続端子と、前記ケーブル接続用凹部に嵌脱自在に嵌合固定される接続部カバー部材と、前記接続部カバー部材の底面部に形成された底面側ケーブル引出し用開口部と、前記接続部カバー部材の背面部に形成された背面側ケーブル引出し用開口部と、を備えている構成を有している。
【０００８】
これにより、ケーブル接続用凹部の内部に形成された受側接続端子に電源コードやネットワークケーブル等を容易に抜き差しできると共に、ケーブル接続用凹部に嵌脱自在に嵌合固定される接続部カバー部材により接続部を保護でき、外部からの衝撃等によってケーブルが抜けるのを防止でき、有線接続端末機器の設置状態に応じて、底面側ケーブル引出し用開口部と背面側ケーブル引出し用開口部のいずれかを選択してケーブルを引出すことができる有線接続端末機器を提供することができる。
【発明の効果】
【０００９】
以上説明したように本発明の有線接続端末機器によれば、以下のような有利な効果が得られる。
【００１０】
請求項１に記載の発明によれば、
（１）内部に受側接続端子を形成されたケーブル接続用凹部が、ケーシングの底面側及び背面側に開口しているので、受側接続端子へのケーブルの抜き差しを容易に行なうことができ作業性に優れると共に、ケーブルの差し込み側接続端子がケーシングの外部に突出せず、見栄えが良く、設置安定性に優れた有線接続端末機器を提供することができる。
（２）ケーブル接続用凹部に嵌脱自在に嵌合固定される接続部カバー部材を有するので、受側接続端子やケーブルの差し込み側接続端子等の接続部を保護することができると共に、容易にケーブルの抜き差しを行なうことができる信頼性、接続作業性に優れた有線接続端末機器を提供することができる。
（３）接続部カバー部材の底面部に形成された底面側ケーブル引出し用開口部と、接続部カバー部材の背面部に形成された背面側ケーブル引出し用開口部を有するので、卓上への据え置き又は壁掛けのいずれかの設置状態に応じてケーブルの引き出し方向を選択することができ、安定した設置状態をえることができる汎用性に優れた有線接続端末機器を提供することができる。
【００１１】
請求項２に記載の発明によれば、請求項１の効果に加え、
（１）ケーブル接続用凹部が側面側に開口し、受側接続端子がケーブル接続用凹部の側面側の開口に対向する内側面に形成されているので、受側接続端子へのケーブルの抜き差しを行なう際に障害となる壁がなく、作業を容易に行なうことができる接続作業性に優れた有線接続端末機器を提供することができる。
（２）ケーブル接続用凹部が底面側及び背面側の開口に加え、側面側にも開口しているので、ケーブルを無理に折り曲げたりすることなく容易に受側接続端子に接続することができ、断線などの発生頻度を低下させることができる信頼性に優れた有線接続端末機器を提供することができる。
【００１２】
請求項３に記載の発明によれば、請求項１又は２の効果に加え、
（１）接続部カバー部材の底面部及び／又は背面部とケーブル接続用凹部との間に凹状開口部が形成されているので、底面側ケーブル引出し用開口部や背面側ケーブル引出し用開口部から引出すことができないケーブルを容易にケーシングの外部に引出すことができ、複数本のケーブルを接続することができる汎用性に優れた有線接続端末機器を提供することができる。
（２）底面側ケーブル引出し用開口部及び背面側ケーブル引出し用開口部の他に凹状開口
部を有するので、ケーブルの太さやケーブルを接続する受側接続端子の位置等に応じてケーブルの引出し場所を選択することができ、汎用性に優れた有線接続端末機器を提供することができる。
【００１３】
請求項４に記載の発明によれば、請求項１乃至３の内いずれか１項の効果に加え、
（１）接続部カバー部材の底面部が、ケーシングの底面と面一に形成されているので、接続部カバー部材を脚部として利用することができる設置安定性に優れた有線接続端末機器を提供することができる。
（２）ケーブル接続用凹部がケーシングの隅部に形成された場合でも、接続部カバー部材を取付けることにより、四隅で有線接続端末機器の底部を支持することができ、特に卓上に据え置きする際の安定性を確保することができる信頼性に優れた有線接続端末機器を提供することができる。
【発明を実施するための最良の形態】
【００１４】
本発明は、小型の有線接続端末機器において電源コードやネットワークケーブル等を容易に抜き差しできると共に、接続部を保護でき、外部からの衝撃等によってケーブルが抜けるのを防止でき、有線接続端末機器の設置状態に応じて、ケーブル引出し方向を選択してケーブルを引出すことができ設置安定性に優れる有線接続端末機器を提供するという目的を、底面側及び背面側に開口したケーブル接続用凹部を有線接続端末機器のケーシングに形成し、ケーブル接続用凹部の内部に受側接続端子を形成すると共に、底面側ケーブル引出し用開口部及び背面側ケーブル引出し用開口部を備えた接続部カバー部材をケーブル接続用凹部に嵌脱自在に嵌合固定することにより実現した。
【００１５】
上記課題を解決するためになされた第１の発明は、小型の有線接続端末機器であって、前記有線接続端末機器のケーシングの少なくとも底面側及び背面側に開口したケーブル接続用凹部と、前記ケーブル接続用凹部の内部に形成された受側接続端子と、前記ケーブル接続用凹部に嵌脱自在に嵌合固定される接続部カバー部材と、前記接続部カバー部材の底面部に形成された底面側ケーブル引出し用開口部と、前記接続部カバー部材の背面部に形成された背面側ケーブル引出し用開口部と、を備えた構成を有している。
【００１６】
この構成により、以下の作用を有する。
【００１７】
（１）内部に受側接続端子を形成されたケーブル接続用凹部が、底面側及び背面側に開口しているので、受側接続端子へのケーブルの抜き差しを容易に行なうことができると共に、ケーブルの差し込み側接続端子がケーシングの外部に突出せず、見栄えが良く、設置安定性に優れる。
【００１８】
（２）ケーブル接続用凹部に嵌脱自在に嵌合固定される接続部カバー部材を有するので、受側接続端子やケーブルの差し込み側接続端子等の接続部を保護することができると共に、容易にケーブルの抜き差しを行なうことができる。
【００１９】
（３）接続部カバー部材の底面部に形成された底面側ケーブル引出し用開口部と、接続部カバー部材の背面部に形成された背面側ケーブル引出し用開口部を有するので、卓上への据え置き又は壁掛けのいずれかの設置状態に応じてケーブルの引き出し方向を選択することができ、安定した設置状態をえることができる。
【００２０】
ここで、受側接続端子はケーブル接続用凹部の底面や内側面に配設することができる。
【００２１】
ケーブル接続用凹部に接続部カバー部材を嵌脱自在に嵌合固定する方法としては、接続部カバー部材に形成した係止爪をケーシングに穿設した嵌合孔に係止させるものが好適に
用いられる。また、ケーシングに係止溝を形成し、接続部カバー部材に形成した係止凸部を係合させて摺動させるようにしてもよいし、接続部カバー部材の一端をケーシングに回動自在に軸支してもよい。
【００２２】
接続部カバー部材の底面部及び背面部は、ケーシングの底面及び背面から突出しないように形成する。これにより、有線接続端末機器の底面及び背面に突起物がないので、卓上等に据え置きしたり、壁掛けしたりする際に安定して設置できる。特に、接続部カバー部材の底面部及び背面部とケーシングの底面及び背面を面一にした場合は、設置面積を広くすることができ、より設置安定性に優れる。
【００２３】
尚、接続部カバー部材の底面部がケーシングの底面よりも凹んでいる場合は、接続部カバー部材の底面部にゴム脚を配設する等して高さ調整を行い、設置安定性を確保することができる。
【００２４】
また、底面側ケーブル引出し用開口部や背面側ケーブル引出し用開口部は、円弧等の曲線状に形成することが好ましい。これにより、外力などが加わった場合にケーブルが傷ついたり、ケーブルが折り曲げられて断線したりするのを防止でき信頼性に優れる。
【００２５】
上記課題を解決するためになされた第２の発明は、第１の発明に記載の有線接続端末機器であって、前記ケーブル接続用凹部がケーシングの側面側に開口し、前記受側接続端子が前記ケーブル接続用凹部の前記側面側の開口に対向する内側面に形成されている構成を有している。
【００２６】
この構成により、第１の発明の作用に加え、以下の作用を有する。
【００２７】
（１）ケーブル接続用凹部が側面側に開口し、受側接続端子がケーブル接続用凹部の側面側の開口に対向する内側面に形成されているので、受側接続端子へのケーブルの抜き差しを行なう際に障害となる壁がなく、作業を容易に行なうことができる。
【００２８】
（２）ケーブル接続用凹部が底面側及び背面側の開口に加え、側面側にも開口しているので、ケーブルを無理に折り曲げたりすることなく容易に受側接続端子に接続することができ、断線などの発生頻度を低下させることができる。
【００２９】
上記課題を解決するためになされた第３の発明は、第１又は第２の発明に記載の有線接続端末機器であって、前記接続部カバー部材の底面部及び／又は背面部と前記ケーブル接続用凹部との間に形成された凹状開口部を備えた構成を有している。
【００３０】
（１）接続部カバー部材の底面部及び／又は背面部とケーブル接続用凹部との間に凹状開口部が形成されているので、底面側ケーブル引出し用開口部や背面側ケーブル引出し用開口部から引出すことができないケーブルを容易にケーシングの外部に引出すことができ、複数本のケーブルを接続することができる。
【００３１】
（２）底面側ケーブル引出し用開口部及び背面側ケーブル引出し用開口部の他に凹状開口部を有するので、ケーブルの太さやケーブルを接続する受側接続端子の位置等に応じてケーブルの引出し場所を選択することができる。
【００３２】
ここで、接続部カバー部材の底面部及び／又は背面部を予めケーブル接続用凹部の開口の大きさよりも小さく形成するだけで、特別な加工等を必要とすることなく、接続部カバー部材とケーブル接続用凹部の間に容易に凹状開口部を形成することができる。
【００３３】
上記課題を解決するためになされた第４の発明は、第１乃至第３の発明の内いずれか１項に記載の有線接続端末機器であって、前記接続部カバー部材の底面部が、前記ケーシングの底面と面一に形成されている構成を有している。
【００３４】
この構成により、第１乃至第３の内いずれか１項の発明の作用に加え、以下の作用を有する。
【００３５】
（１）接続部カバー部材の底面部が、ケーシングの底面と面一に形成されているので、接続部カバー部材を脚部として利用することができ、設置安定性に優れる。
【００３６】
（２）ケーブル接続用凹部がケーシングの隅部に形成された場合でも、接続部カバー部材を取付けることにより、四隅で有線接続端末機器の底部を支持することができ、特に卓上に据え置きする際の安定性を確保することができる。
【００３７】
ここで、接続部カバー部材の底面部及びケーシングの底面にゴム脚部等を貼着することにより、卓上に据え置きする際の滑りを防止でき、設置安定性を向上させることができる。
【００３８】
（実施の形態１）
以下、本発明の実施の形態について、各図に基づいて説明する。
【００３９】
図１は本実施の形態１における有線接続端末機器の本体及び接続部カバー部材を示す背面側斜視図である。
【００４０】
図１中、１はネットワークカメラとして卓上に据え付けたり、壁掛けしたりして使用される本実施の形態１における有線接続端末機器、１ａは有線接続端末機器１のケーシングの底面、１ｂは有線接続端末機器１のケーシングの背面、１ｃは有線接続端末機器１のケーシングの側面、１ｄはケーシングの背面１ｂに形成された壁掛け用係合部、２は有線接続端末機器１のケーシングの底面１ａ側、背面１ｂ側、側面１ｃ側に開口したケーブル接続用凹部、２ａはケーブル接続用凹部２の側面１ｃ側の開口に対向する内側面、２ｂ、２ｃはケーブル接続用凹部２の背面１ｂ側及び側面１ｃ側に形成された嵌合孔、３ａ、３ｂはケーブル接続用凹部２の内側面２ａに形成され電源コード及びネットワークケーブルがそれぞれ接続される受側接続端子、４は底面部４ａ、背面部４ｂ、側面部４ｃを有し係止爪４ｄが嵌合孔２ｂに嵌合され係止されると共に、嵌合凸部４ｅが嵌合孔２ｃに嵌合されてケーブル接続用凹部２に嵌脱自在に嵌合固定される接続部カバー部材、５ａは接続部カバー部材４の底面部４ａに形成された底面側ケーブル引出し用開口部、５ｂは接続部カバー部材４の背面部４ｂに形成された背面側ケーブル引出し用開口部、６は有線接続端末機器１のケーシングの底面１ａ及び接続部カバー部材４の底面部４ａに貼着されたゴム脚部である。
【００４１】
以上のように構成された本実施の形態１における有線接続端末機器の使用方法について説明する。
【００４２】
図２（ａ）は本実施の形態１における有線接続端末機器の据置時のケーブル引出し状態を示す側面図であり、図２（ｂ）は本実施の形態１における有線接続端末機器の据置時のケーブル引出し状態を示す背面側斜視図である。
【００４３】
図２中、７は接続部カバー部材４の底面部４ａ及び背面部４ｂとケーブル接続用凹部２との間に形成された凹状開口部、８は差し込み側接続端子８ａが受側接続端子３ａに接続され凹状開口部７の背面１ｂ側から引出された電源コード、９は差し込み側接続端子９ａ
が受側接続端子３ｂに接続され背面側ケーブル引出し用開口部５ｂから引出されたネットワークケーブルである。
【００４４】
接続部カバー部材４の底面部４ａが有線接続端末機器１のケーシングの底面１ａと面一に形成され、電源コード８及びネットワークケーブル９のケーブル類が有線接続端末機器１のケーシングの背面１ｂ側から引出されているので、ケーシングの底面１ａ及び接続部カバー部材４の底面部４ａの各ゴム脚部６で安定して卓上等に据置して使用することができる。
【００４５】
図３（ａ）は本実施の形態１における有線接続端末機器の壁掛け時のケーブル引出し状態を示す側面図であり、図３（ｂ）は本実施の形態１における有線接続端末機器の壁掛け時のケーブル引出し状態を示す背面側斜視図である。
【００４６】
図３において、受側接続端子３ａに接続された電源コード８は凹状開口部７の底面１ａ側から引出され、受側接続端子３ｂに接続されたネットワークケーブル９は底面側ケーブル引出し用開口部５ａから引出されている。
【００４７】
接続部カバー部材４の背面部４ｂが有線接続端末機器１のケーシングの背面１ｂと面一に形成され、電源コード８及びネットワークケーブル９のケーブル類が有線接続端末機器１のケーシングの底面１ａ側から引出されているので、有線接続端末機器１のケーシングの背面１ｂを壁や柱等に当接させることができ、壁や柱等に螺着されたビス等に壁掛け用係合部１ｄを係合し、安定して壁掛け使用することができる。
【００４８】
以上のように本実施の形態１における有線接続端末機器は構成されているので、以下のような作用を有する。
【００４９】
（１）内部に受側接続端子３ａ、３ｂを形成されたケーブル接続用凹部２が、底面側、背面側及び側面側に開口しているので、受側接続端子３ａ、３ｂへのケーブル類８、９の抜き差しを容易に行なうことができると共に、ケーブル類８、９の差し込み側接続端子８ａ、９ａがケーシングの外部に突出せず、見栄えが良く、設置安定性に優れる。
【００５０】
（２）ケーブル接続用凹部２に嵌脱自在に嵌合固定される接続部カバー部材４を有するので、受側接続端子３ａ、３ｂやケーブル類８、９の差し込み側接続端子８ａ、９ａ等の接続部を保護することができると共に、容易にケーブル類８、９の抜き差しを行なうことができる。
【００５１】
（３）接続部カバー部材４の底面部４ａに形成された底面側ケーブル引出し用開口部５ａと、接続部カバー部材４の背面部４ｂに形成された背面側ケーブル引出し用開口部５ｂを有するので、卓上への据え置き又は壁掛けのいずれかの設置状態に応じてケーブル類８、９の引き出し方向を選択することができ、安定した設置状態をえることができる。
【００５２】
（４）ケーブル接続用凹部２が側面側にも開口し、受側接続端子３ａ、３ｂがケーブル接続用凹部２の側面側の開口に対向する内側面２ａに形成されているので、受側接続端子３ａ、３ｂへのケーブル類８、９の抜き差しを行なう際に障害となる壁がなく、作業を容易に行なうことができる。
【００５３】
（５）ケーブル接続用凹部２が底面側及び背面側の開口に加え、側面側にも開口しているので、ケーブル類８、９を無理に折り曲げたりすることなく容易に受側接続端子３ａ、３ｂに接続することができ、断線などの発生頻度を低下させることができる。
【００５４】
（６）接続部カバー部材４の底面部４ａ及び背面部４ｂとケーブル接続用凹部２との間に凹状開口部７が形成されているので、底面側ケーブル引出し用開口部５ａや背面側ケーブル引出し用開口部５ｂから引出すことができないケーブルを容易にケーシングの外部に引出すことができ、複数本のケーブルを安定して接続することができる。
【００５５】
（７）底面側ケーブル引出し用開口部５ａ及び背面側ケーブル引出し用開口部５ｂの他に凹状開口部７を有するので、ケーブル類８、９の太さやケーブル類８、９を接続する受側接続端子３ａ、３ｂの位置等に応じてケーブル類８、９の引出し場所を選択することができる。
【００５６】
（８）接続部カバー部材４の底面部４ａが、ケーシングの底面１ａと面一に形成されているので、接続部カバー部材４を脚部として利用することができ、設置安定性に優れる。
【００５７】
（９）ケーシングの隅部に形成されたケーブル接続用凹部２に接続部カバー部材４を取付けることにより、四隅で有線接続端末機器１の底部１ａを確実に支持することができ、特に卓上に据え置きする際の安定性を確保することができる。
【００５８】
（１０）接続部カバー部材４の底面部４ａ及びケーシングの底面１ａにゴム脚部６が貼着されていることにより、卓上に据え置きする際の滑りを防止でき、設置安定性を向上させることができる。
【産業上の利用可能性】
【００５９】
本発明は、小型の有線接続端末機器に関し、特に電源コードやネットワークケーブル等の接続端子を抜き差しするのに十分なスペースを確保でき接続作業性に優れ、卓上使用及び壁掛け使用の用途に応じてケーブルの引出し方向を容易に変更でき汎用性に優れると共に、ケーブルの接続端子がケーシングから突出しないので見栄えがよく、設置安定性に優れた有線接続端末機器を提供することができ、電話機やネットワークカメラ、ターミナルアダプタ、モデム等のあらゆる有線接続端末機器に利用でき信頼性の向上に役立つ。
【図面の簡単な説明】
【００６０】
【図１】本実施の形態１における有線接続端末機器の本体及び接続部カバー部材を示す背面側斜視図
【図２】（ａ）本実施の形態１における有線接続端末機器の据置時のケーブル引出し状態を示す側面図、（ｂ）本実施の形態１における有線接続端末機器の据置時のケーブル引出し状態を示す背面側斜視図
【図３】（ａ）本実施の形態１における有線接続端末機器の壁掛け時のケーブル引出し状態を示す側面図、（ｂ）本実施の形態１における有線接続端末機器の壁掛け時のケーブル引出し状態を示す背面側斜視図
【符号の説明】
【００６１】
１    本実施の形態１における有線接続端末機器
１ａ    ケーシングの底面
１ｂ    ケーシングの背面
１ｃ    ケーシングの側面
１ｄ    壁掛け用係合部
２    ケーブル接続用凹部
２ａ    内側面
２ｂ、２ｃ    嵌合孔
３ａ、３ｂ    受側接続端子
４    接続部カバー部材
４ａ    底面部
４ｂ    背面部
４ｃ    側面部
４ｄ    係止爪
４ｅ    嵌合凸部
５ａ    底面側ケーブル引出し用開口部
５ｂ    背面側ケーブル引出し用開口部
６    ゴム脚部
７    凹状開口部
８    電源コード
８ａ    差し込み側接続端子
９    ネットワークケーブル
９ａ    差し込み側接続端子
【図１】
2005251834.tif 000003
【図２】
2005251834.tif 000004
【図３】
2005251834.tif 000005